(57)【要約】【課題】所望の静電容量を確保した上で、直流抵抗の低減を図ることが可能な積層貫通コンデンサを提供すること。【解決手段】積層貫通コンデンサは、素体Ｌと、素体Ｌの第一及び第二側面Ｌｃ，Ｌｄ側に配置された第一及び第二信号用端子電極１，２と、素体Ｌの第三及び第四側面Ｌｅ，Ｌｆ側に配置された第一及び第二接地用端子電極３，４と、素体Ｌ内に第一及び第二主面の対向方向に交互に配置された、それぞれ複数の信号用内部電極１１及び接地用内部電極１３と、を備えている。信号用内部電極１１は、第一及び第二信号用端子電極１，２に接続されている。接地用内部電極１３は、第一及び第二接地用端子電極３，４に接続されると共に、第一及び第二側面Ｌｃ，Ｌｄの対向方向での幅ｗ１が接地用端子電極３の第一及び第二側面Ｌｃ，Ｌｄの対向方向での幅ｗ２よりも狭い。【選択図】図３
2014146754.tif 000002
【特許請求の範囲】
【請求項１】
互いに対向する略矩形状の第一及び第二主面と、前記第一及び第二主面間を連結するように前記第一及び第二主面の第一辺方向に延び且つ互いに対向する第一及び第二側面と、前記第一及び第二主面間を連結するように前記第一辺方向に直交する第二辺方向に延び且つ互いに対向する第三及び第四側面と、を有する素体と、
前記素体の前記第一及び第二側面側に配置された複数の信号用端子電極と、
前記素体の前記第三及び第四側面側のうち少なくとも一方に配置された接地用端子電極と、
前記素体内に前記第一及び第二主面の対向方向に交互に配置された、それぞれ複数の信号用内部電極及び接地用内部電極と、を備え、
各前記信号用内部電極は、前記複数の信号用端子電極に接続され、
各前記接地用内部電極は、前記接地用端子電極に接続されると共に、前記第一及び第二側面の対向方向での幅が前記接地用端子電極の前記第一及び第二側面の対向方向での幅よりも狭いことを特徴とする積層貫通コンデンサ。
【請求項２】
前記接地用内部電極の前記第一及び第二側面の対向方向での前記幅は、前記接地用端子電極の前記第一及び第二側面の対向方向での前記幅の半分以下であることを特徴とする請求項１に記載の積層貫通コンデンサ。
【請求項３】
前記接地用内部電極は、前記信号用内部電極と対向する主電極部と、前記主電極部から延びて前記接地用端子電極に接続される引出電極部と、を有し、
前記主電極部の前記第一及び第二側面の対向方向での前記幅は、前記引出電極部の前記第一及び第二側面の対向方向での前記幅よりも狭いことを特徴とする請求項１又は２に記載の積層貫通コンデンサ。
【請求項４】
前記主電極部は、前記第三及び第四側面の対向方向に延びる電極部分を有し、
各前記接地用内部電極における前記主電極部の前記電極部分は、前記第一及び第二主面の対向方向から見て、互いに重ならないように位置していることを特徴とする請求項３に記載の積層貫通コンデンサ。
【請求項５】
前記主電極部は、同一面内において複数に分岐された電極部分を有することを特徴とする請求項３又は４に記載の積層貫通コンデンサ。
【請求項６】
各前記接地用内部電極と同一面に、前記接地用内部電極を前記第一及び第二側面の対向方向で挟み且つ前記接地用内部電極から離間するように配置された複数のダミー電極を更に備え、
各前記ダミー電極は、対応する前記信号用端子電極に接続されていることを特徴とする請求項１又は２に記載の積層貫通コンデンサ。
【請求項７】
前記複数のダミー電極の前記第一及び第二側面の対向方向での間隔は、前記接地用端子電極の前記第一及び第二側面の対向方向での前記幅よりも狭いことを特徴とする請求項６に記載の積層貫通コンデンサ。
【請求項８】
前記接地用内部電極は、前記信号用内部電極と対向する主電極部と、前記主電極部から延びて前記接地用端子電極に接続される引出電極部と、を有し、
前記主電極部の前記第一及び第二側面の対向方向での前記幅は、前記引出電極部の前記第一及び第二側面の対向方向での前記幅よりも狭く、
前記複数のダミー電極の前記第一及び第二側面の対向方向での間隔は、前記引出電極部の前記第一及び第二側面の対向方向での前記幅よりも狭いことを特徴とする請求項７に記載の積層貫通コンデンサ。
【請求項９】
前記第一及び第二主面は、前記第一辺を長辺とし且つ前記第二辺を短辺とした略長方形状を呈しており、
各前記信号用内部電極は、前記第三及び第四側面の対向方向での幅が前記第一及び第二側面の対向方向での幅よりも広いことを特徴とする請求項１〜８のいずれか一項に記載の積層貫通コンデンサ。
【請求項１０】
前記第一側面側と第二側面側とに、それぞれ複数の前記信号用端子電極が配置され、
同一面内に、複数の前記信号用内部電極が配置されており、
同一平面内に位置する各前記信号用内部電極は、前記第一側面側と第二側面側とにおいて、異なる前記信号用端子電極に接続されていることを特徴とする請求項１〜９のいずれか一項に記載の積層貫通コンデンサ。
【請求項１１】
各前記接地用内部電極は、前記第一及び第二主面の対向方向から見て、前記信号用内部電極と重ならない領域が残りの領域よりも前記第一及び第二側面の対向方向において幅広とされていることを特徴とする請求項１０に記載の積層貫通コンデンサ。
【発明の詳細な説明】
【技術分野】
【０００１】
本発明は、積層貫通コンデンサに関する。
【背景技術】
【０００２】
積層貫通コンデンサとして、素体と、素体の外表面に配置された複数の信号用端子電極と、素体の外表面に配置された接地用端子電極と、素体内に交互に配置された、それぞれ複数の信号用内部電極及び接地用内部電極と、を備えたものが知られている（たとえば、特許文献１参照）。
【先行技術文献】
【特許文献】
【０００３】
【特許文献１】特開平０１−２０６６１５号公報
【発明の概要】
【発明が解決しようとする課題】
【０００４】
本発明は、所望の静電容量を確保した上で、直流抵抗の低減を図ることが可能な積層貫通コンデンサを提供することを目的とする。
【課題を解決するための手段】
【０００５】
本発明に係る積層貫通コンデンサは、互いに対向する略矩形状の第一及び第二主面と、第一及び第二主面間を連結するように第一及び第二主面の第一辺方向に延び且つ互いに対向する第一及び第二側面と、第一及び第二主面間を連結するように第一辺方向に直交する第二辺方向に延び且つ互いに対向する第三及び第四側面と、を有する素体と、素体の第一及び第二側面側に配置された複数の信号用端子電極と、素体の第三及び第四側面側のうち少なくとも一方に配置された接地用端子電極と、素体内に第一及び第二主面の対向方向に交互に配置された、それぞれ複数の信号用内部電極及び接地用内部電極と、を備え、各信号用内部電極は、複数の信号用端子電極に接続され、各接地用内部電極は、接地用端子電極に接続されると共に、第一及び第二側面の対向方向での幅が接地用端子電極の第一及び第二側面の対向方向での幅よりも狭いことを特徴とする。
【０００６】
本発明に係る積層貫通コンデンサでは、各接地用内部電極の第一及び第二側面の対向方向での幅が接地用端子電極の第一及び第二側面の対向方向での幅よりも狭いため、一つの信号用内部電極と一つの接地用内部電極とで形成される静電容量は比較的小さい。したがって、所望の静電容量を確保するためには、信号用内部電極と接地用内部電極との積層数を増やす必要がある。このように、信号用内部電極の積層数が増やされることにより、直流抵抗の低減が図られることとなる。
【０００７】
本発明では、各接地用内部電極の第一及び第二側面の対向方向での幅が狭いため、積層ずれに起因して信号用内部電極と接地用内部電極との位置がずれた場合でも、信号用内部電極と接地用内部電極とが重なり合う面積が変化し難い。したがって、静電容量のばらつきを低減することができる。
【０００８】
接地用内部電極の第一及び第二側面の対向方向での幅は、接地用端子電極の第一及び第二側面の対向方向での幅の半分以下であってもよい。この場合、積層ずれに起因して各接地用内部電極の位置がずれた場合でも、接地用端子電極の第一及び第二側面の対向方向での幅から接地用内部電極がはみ出して露出するのを防ぐことができる。
【０００９】
接地用内部電極は、信号用内部電極と対向する主電極部と、主電極部から延びて接地用端子電極に接続される引出電極部と、を有し、主電極部の第一及び第二側面の対向方向での幅は、引出電極部の第一及び第二側面の対向方向での幅よりも狭くてもよい。この場合、主電極部の第一及び第二側面の対向方向での幅が、引出電極部の第一及び第二側面の対向方向での幅よりも狭いため、一つの信号用内部電極と一つの接地用内部電極とで形成される静電容量はより一層小さい。したがって、所望の静電容量を確保するためには、信号用内部電極と接地用内部電極との積層数を更に増やす必要があり、信号用内部電極の積層数が更に増やされることにより、直流抵抗の低減がより一層図られることとなる。引出電極部の第一及び第二側面の対向方向での幅は、主電極部の第一及び第二側面の対向方向での幅よりも広いため、接地用内部電極と接地用端子電極との接続性は確保できる。
【００１０】
主電極部は、第三及び第四側面の対向方向に延びる電極部分を有し、各接地用内部電極における主電極部の電極部分は、第一及び第二主面の対向方向から見て、互いに重ならないように位置していてもよい。この場合、主電極部の電極部分の厚みにより生じる段差が分散されて、素体の変形を抑制することができる。したがって、内部構造欠陥の発生を抑制することができる。
【００１１】
主電極部は、同一面内において複数に分岐された電極部分を有していてもよい。この場合、いずれかの電極部分が断線したとしても、残りの電極部分にて導通状態を確保することができる。
【００１２】
各接地用内部電極と同一面に、接地用内部電極を第一及び第二側面の対向方向で挟み且つ接地用内部電極から離間するように配置された複数のダミー電極を更に備え、各ダミー電極は、対応する信号用端子電極に接続されていてもよい。この場合、素体と信号用端子電極との密着性を高めることができる。
【００１３】
複数のダミー電極の第一及び第二側面の対向方向での間隔は、接地用端子電極の第一及び第二側面の対向方向での幅よりも狭くてもよい。この場合、接地用内部電極の厚みによる段差の発生が抑制されて、素体の変形を抑制することができる。したがって、内部構造欠陥の発生を抑制することができる。
【００１４】
接地用内部電極は、信号用内部電極と対向する主電極部と、主電極部から延びて接地用端子電極に接続される引出電極部と、を有し、主電極部の第一及び第二側面の対向方向での幅は、引出電極部の第一及び第二側面の対向方向での幅よりも狭く、複数のダミー電極の第一及び第二側面の対向方向での間隔は、引出電極部の第一及び第二側面の対向方向での幅よりも狭くてもよい。この場合、主電極部の第一及び第二側面の対向方向での幅が、引出電極部の第一及び第二側面の対向方向での幅よりも狭いため、一つの信号用内部電極と一つの接地用内部電極とで形成される静電容量はより一層小さい。したがって、所望の静電容量を確保するためには、信号用内部電極と接地用内部電極との積層数を更に増やす必要があり、信号用内部電極の積層数が更に増やされることにより、直流抵抗の低減がより一層図られることとなる。また、接地用内部電極（主電極部）の厚みによる段差の発生がより一層抑制されて、素体の変形を更に抑制することができる。
【００１５】
第一及び第二主面は、第一辺を長辺とし且つ第二辺を短辺とした略長方形状を呈しており、各信号用内部電極は、第三及び第四側面の対向方向での幅が第一及び第二側面の対向方向での幅よりも広くてもよい。この場合、信号用内部電極一つあたり直流抵抗が低くなり、積層貫通コンデンサ全体での直流抵抗をより一層低減することができる。
【００１６】
第一側面側と第二側面側とに、それぞれ複数の信号用端子電極が配置され、同一面内に、複数の信号用内部電極が配置されており、同一平面内に位置する各信号用内部電極は、第一側面側と第二側面側とにおいて、異なる信号用端子電極に接続されていてもよい。この場合、所望の静電容量が確保された上で、直流抵抗の低減が図られた積層貫通コンデンサアレイを実現することができる。
【００１７】
各接地用内部電極は、第一及び第二主面の対向方向から見て、信号用内部電極と重ならない領域が残りの領域よりも第一及び第二側面の対向方向において幅広とされていてもよい。この場合、信号用内部電極の厚みによる段差の発生が抑制されて、素体の変形を抑制することができる。したがって、内部構造欠陥の発生を抑制することができる。
【発明の効果】
【００１８】
本発明によれば、所望の静電容量を確保した上で、直流抵抗の低減を図ることが可能な積層貫通コンデンサを提供することができる。
【図面の簡単な説明】
【００１９】
【図１】本実施形態に係る積層貫通コンデンサを示す斜視図である。
【図２】素体の構成を示す分解斜視図である。
【図３】信号用内部電極及び接地用内部電極を示す平面図である。
【図４】接地用内部電極の変形例を示す平面図である。
【図５】接地用内部電極の変形例を示す平面図である。
【図６】接地用内部電極の変形例を示す平面図である。
【図７】本実施形態の変形例に係る積層貫通コンデンサにおける、素体の構成を示す分解斜視図である。
【図８】接地用内部電極及びダミー電極を示す平面図である。
【図９】接地用内部電極及びダミー電極の変形例を示す平面図である。
【図１０】本実施形態の変形例に係る積層貫通コンデンサを示す斜視図である。
【図１１】素体の構成を示す分解斜視図である。
【図１２】信号用内部電極及び接地用内部電極を示す平面図である。
【図１３】接地用内部電極の変形例を示す平面図である。
【図１４】接地用内部電極の変形例を示す平面図である。
【図１５】接地用内部電極の変形例を示す平面図である。
【図１６】本実施形態の変形例に係る積層貫通コンデンサにおける、素体の構成を示す分解斜視図である。
【図１７】接地用内部電極及びダミー電極を示す平面図である。
【図１８】接地用内部電極及びダミー電極の変形例を示す平面図である。
【図１９】本実施形態の変形例に係る積層貫通コンデンサアレイを示す斜視図である。
【図２０】素体の構成を示す分解斜視図である。
【図２１】信号用内部電極及び接地用内部電極を示す平面図である。
【図２２】接地用内部電極の変形例を示す平面図である。
【発明を実施するための形態】
【００２０】
以下、添付図面を参照して、本発明の好適な実施形態について詳細に説明する。なお、説明において、同一要素又は同一機能を有する要素には、同一符号を用いることとし、重複する説明は省略する。
【００２１】
まず、図１及び図２を参照して、本実施形態に係る積層貫通コンデンサＣ１の構成を説明する。図１は、本実施形態に係る積層貫通コンデンサを示す斜視図である。図２は、素体の構成を示す分解斜視図である。
【００２２】
図１に示されるように、積層貫通コンデンサＣ１は、誘電特性を有する素体Ｌと、素体Ｌの外表面に配置される第一及び第二信号用端子電極１，２と、素体Ｌの外表面に配置される第一及び第二接地用端子電極３，４と、を備えている。
【００２３】
素体Ｌは、図１に示されるように、略直方体形状であり、その外表面として、対向する略長方形状の第一及び第二主面Ｌａ，Ｌｂと、対向する第一及び第二側面Ｌｃ，Ｌｄと、対向する第三及び第四側面Ｌｅ，Ｌｆと、を有する。第一及び第二側面Ｌｃ，Ｌｄは、第一及び第二主面Ｌａ，Ｌｂ間を連結するように第一及び第二主面Ｌａ，Ｌｂの短辺方向に伸びている。第三及び第四側面Ｌｅ，Ｌｆは、第一及び第二主面Ｌａ，Ｌｂ間を連結するように第一及び第二主面Ｌａ，Ｌｂの長辺方向に伸びている。
【００２４】
第一信号用端子電極１は、素体Ｌの第一側面Ｌｃ側に配置されている。第一信号用端子電極１は、第一側面Ｌｃ全面を覆うように、第一及び第二主面Ｌａ，Ｌｂ並びに第三及び第四側面Ｌｅ，Ｌｆの端部（第一側面Ｌｃ側の端部）に亘って形成されている。第二信号用端子電極２は、素体Ｌの第二側面Ｌｄ側に配置されている。第二信号用端子電極２は、第二側面Ｌｄ全面を覆うように、第一及び第二主面Ｌａ，Ｌｂ並びに第三及び第四側面Ｌｅ，Ｌｆの端部（第二側面Ｌｄ側の端部）に亘って形成されている。第一及び第二信号用端子電極１，２は、第一及び第二側面Ｌｃ，Ｌｄの対向方向に対向している。
【００２５】
第一接地用端子電極３は、素体Ｌの第三側面Ｌｅ側に配置されている。第一接地用端子電極３は、第三側面Ｌｅの第一及び第二側面Ｌｃ，Ｌｄの対向方向の略中央を、第一及び第二主面Ｌａ，Ｌｂの対向方向に沿って横断するように覆っている。第一接地用端子電極３は、さらに第一及び第二主面Ｌａ，Ｌｂの第三側面Ｌｅ側の端部の一部も覆っている。
【００２６】
第二接地用端子電極４は、素体Ｌの第四側面Ｌｆ側に配置されている。第二接地用端子電極４は、第四側面Ｌｆの第一及び第二側面Ｌｃ，Ｌｄの対向方向の略中央を、第一及び第二主面Ｌａ，Ｌｂの対向方向に沿って横断するように覆っている。第二接地用端子電極４は、さらに第一及び第二主面Ｌａ，Ｌｂの第四側面Ｌｆ側の端部の一部も覆っている。第一及び第二接地用端子電極３，４は、第三及び第四側面Ｌｅ，Ｌｆの対向方向に対向している。
【００２７】
第一及び第二信号用端子電極１，２と第一及び第二接地用端子電極３，４とは、たとえば導電性金属粉末及びガラスフリットを含む導電性ペーストを素体Ｌの外表面に付与し、焼き付けることによって形成される。必要に応じて、焼き付けられた端子電極の上にめっき層が形成されることもある。信号用端子電極１，２及び接地用端子電極３，４は、素体Ｌの外表面上においては互いに電気的に絶縁されて形成されている。
【００２８】
積層貫通コンデンサＣ１では、第一主面Ｌａ又は第二主面Ｌｂを、電子機器（たとえば、回路基板や電子部品など）に対する実装面として電子機器に実装することが好ましい。素体Ｌの第二主面Ｌｂが回路基板と対向するように積層貫通コンデンサＣ１を実装する場合、第一及び第二信号用端子電極１，２を、基板上に形成され信号配線に接続されたランド電極に接続し、第一及び第二接地用端子電極３，４を、基板上に形成されグランド配線に接続されたグランド電極に接続する。
【００２９】
素体Ｌは、図２に示されるように、第一及び第二主面Ｌａ，Ｌｂの対向方向に複数の絶縁体層１０が積層されて構成されている。すなわち、素体Ｌでは、第一及び第二主面Ｌａ，Ｌｂの対向方向が、複数の絶縁体層１０の積層方向と一致する。各絶縁体層１０は、例えば誘電体セラミック（ＢａＴｉＯ３系、Ｂａ(Ｔｉ，Ｚｒ)Ｏ３系、又は（Ｂａ，Ｃａ）ＴｉＯ３系等の誘電体セラミック）を含むセラミックグリーンシートの焼結体から構成される。実際の素体Ｌでは、各絶縁体層１０の間の境界が視認できない程度に一体化されている。
【００３０】
積層貫通コンデンサＣ１は、図２に示されるように、複数の内部電極として、複数の信号用内部電極１１と、複数の接地用内部電極１３と、を備えている。信号用内部電極１１及び接地用内部電極１３は、積層型の電気素子の内部電極として通常用いられる導電性材料（たとえば、Ｎｉ又はＣｕなど）からなる。信号用内部電極１１及び接地用内部電極１３は、上記導電性材料を含む導電性ペーストの焼結体として構成される。
【００３１】
信号用内部電極１１と接地用内部電極１３とは、第一及び第二主面Ｌａ，Ｌｂの対向方向（複数の絶縁体層１０の積層方向）において異なる位置（層）に配置されている。すなわち、信号用内部電極１１と接地用内部電極１３とは、素体Ｌ内において、第一及び第二主面Ｌａ，Ｌｂの対向方向に間隔を有して対向するように交互に配置されている。本実施形態では、たとえば、信号用内部電極１１の数（積層数）は、５〜５０層程度とされ、接地用内部電極１３の数（積層数）は、５〜５０層程度とされる。
【００３２】
図３（ａ）にも示されるように、信号用内部電極１１は、主電極部１１ａと、一対の引出電極部１１ｂ，１１ｃと、を有している。引出電極部１１ｂは、主電極部１１ａから第一側面Ｌｃに露出するように延びている。引出電極部１１ｃは、主電極部１１ａから第二側面Ｌｄに露出するように延びている。主電極部１１ａと、引出電極部１１ｂ，１１ｃとは、一体的に形成されている。
【００３３】
主電極部１１ａは、第一及び第二側面Ｌｃ，Ｌｄの対向方向を長辺方向とし、第三及び第四側面Ｌｅ，Ｌｆの対向方向を短辺方向とする矩形形状を呈している。引出電極部１１ｂは、主電極部１１ａの第一側面Ｌｃ側の端部から主電極部１１ａと同じ幅で第一側面Ｌｃまで延びている。引出電極部１１ｂは、その端が第一側面Ｌｃに露出し、当該露出した端部で第一信号用端子電極１に接続されている。引出電極部１１ｃは、主電極部１１ａの第二側面Ｌｄ側の端部から主電極部１１ａと同じ幅で第二側面Ｌｄまで延びている。引出電極部１１ｃは、その端が第二側面Ｌｄに露出し、当該露出した端部で第二信号用端子電極２に接続されている。
【００３４】
第一信号用端子電極１は、引出電極部１１ｂの第一側面Ｌｃに露出した部分もすべて覆うように形成されており、引出電極部１１ｂは、第一信号用端子電極１に物理的且つ電気的に接続される。これにより、各信号用内部電極１１は、第一信号用端子電極１に接続されることとなる。第二信号用端子電極２は、引出電極部１１ｃの第二側面Ｌｄに露出した部分もすべて覆うように形成されており、引出電極部１１ｃは、第二信号用端子電極２に物理的且つ電気的に接続される。これにより、各信号用内部電極１１は、第二信号用端子電極２に接続されることとなる。
【００３５】
図３（ｂ）にも示されるように、接地用内部電極１３は、主電極部１３ａと、一対の引出電極部１３ｂ，１３ｃと、を有している。引出電極部１３ｂは、主電極部１３ａから第三側面Ｌｅに露出するように延びている。引出電極部１３ｃは、主電極部１３ａから第四側面Ｌｆに露出するように延びている。主電極部１３ａと、引出電極部１３ｂ，１３ｃとは、一体的に形成されている。主電極部１３ａは、信号用内部電極１１（主電極部１１ａ）と対向している。
【００３６】
主電極部１３ａは、第三及び第四側面Ｌｅ，Ｌｆの対向方向を長辺方向とし、第一及び第二側面Ｌｃ，Ｌｄの対向方向を短辺方向とする矩形形状を呈している。引出電極部１３ｂは、主電極部１３ａの第三側面Ｌｅ側の端部から主電極部１３ａと同じ幅で第三側面Ｌｅまで延びている。引出電極部１３ｂは、その端が第三側面Ｌｅに露出し、当該露出した端部で第一接地用端子電極３に接続されている。引出電極部１３ｃは、主電極部１３ａの第四側面Ｌｆ側の端部から主電極部１３ａと同じ幅で第四側面Ｌｆまで延びている。引出電極部１３ｃは、その端が第四側面Ｌｆに露出し、当該露出した端部で第二接地用端子電極４に接続されている。
【００３７】
第一接地用端子電極３は、引出電極部１３ｂの第三側面Ｌｅに露出した部分もすべて覆うように形成されており、引出電極部１３ｂは、第一接地用端子電極３に物理的且つ電気的に接続される。これにより、各接地用内部電極１３は、第一接地用端子電極３に接続されることとなる。第二接地用端子電極４は、引出電極部１３ｃの第四側面Ｌｆに露出した部分もすべて覆うように形成されており、引出電極部１３ｃは、第二接地用端子電極４に物理的且つ電気的に接続される。これにより、各接地用内部電極１３は、第二接地用端子電極４に接続されることとなる。
【００３８】
各接地用内部電極１３は、第一及び第二側面Ｌｃ，Ｌｄの対向方向での幅ｗ１が第一及び第二接地用端子電極３，４の第一及び第二側面Ｌｃ，Ｌｄの対向方向での幅ｗ２よりも狭く設定されている。本実施形態では、幅ｗ１は、幅ｗ２の半分以下に設定されている。積層貫通コンデンサＣ１のチップサイズが「１００５」タイプである場合、たとえば、幅ｗ２は１００〜３００μｍ程度に設定され、幅ｗ１は５０〜１５０μｍ程度に設定される。積層貫通コンデンサＣ１のチップサイズが「１６０８」タイプである場合、たとえば、幅ｗ２は１００〜４５０μｍ程度に設定され、幅ｗ１は５０〜２００μｍ程度に設定される。
【００３９】
以上のように、本実施形態では、各接地用内部電極１３の幅ｗ１が第一及び第二接地用端子電極３，４の幅ｗ２よりも狭いため、一つの信号用内部電極１１と一つの接地用内部電極１３とで形成される静電容量は比較的小さい。したがって、積層貫通コンデンサＣ１では、所望の静電容量を確保するために、信号用内部電極１１と接地用内部電極１３との積層数を増やす必要がある。このように、信号用内部電極１１の積層数が増やされることにより、積層貫通コンデンサＣ１において、直流抵抗の低減が図られることとなる。
【００４０】
積層貫通コンデンサＣ１では、接地用内部電極１３の幅ｗ１が狭いため、積層ずれに起因して信号用内部電極１１と接地用内部電極１３との位置がずれた場合でも、信号用内部電極１１と接地用内部電極１３とが重なり合う面積が変化し難い。したがって、積層貫通コンデンサＣ１において、静電容量のばらつきを低減することができる。
【００４１】
各接地用内部電極１３の幅ｗ１が、第一及び第二接地用端子電極３，４の幅ｗ２の半分以下に設定されていると、積層ずれに起因して各接地用内部電極１３の位置がずれた場合でも、第一及び第二接地用端子電極３，４の幅ｗ２から接地用内部電極１３がはみ出して露出するのを防ぐことができる。
【００４２】
次に、図４を参照して、接地用内部電極１３の変形例の構成を説明する。図４は、接地用内部電極の変形例を示す平面図である。
【００４３】
本変形例では、主電極部１３ａの第一及び第二側面Ｌｃ，Ｌｄの対向方向での幅ｗ１ａは、引出電極部１３ｂ，１３ｃの第一及び第二側面Ｌｃ，Ｌｄの対向方向での幅ｗ１ｂよりも狭く設定されている。主電極部１３ａの幅ｗ１ａ及び引出電極部１３ｂ，１３ｃの幅ｗ１ｂは、第一及び第二接地用端子電極３，４の幅ｗ２よりも狭く設定されている。本変形例では、幅ｗ１ａ，ｗ１ｂは、幅ｗ２の半分以下に設定されている。
【００４４】
主電極部１３ａの幅ｗ１ａが、引出電極部１３ｂ，１３ｃの幅ｗ１ｂよりも狭いため、一つの信号用内部電極１１と一つの接地用内部電極１３とで形成される静電容量はより一層小さい。したがって、所望の静電容量を確保するためには、信号用内部電極１１と接地用内部電極１３との積層数を更に増やす必要があり、信号用内部電極１１の積層数が更に増やされることにより、直流抵抗の低減がより一層図られることとなる。引出電極部１３ｂ，１３ｃの幅ｗ１ｂは、主電極部１３ａの幅ｗ１ａよりも広いため、接地用内部電極１３と第一及び第二接地用端子電極３，４との接続性は確保できる。
【００４５】
次に、図５を参照して、接地用内部電極１３の変形例の構成を説明する。図５は、接地用内部電極の変形例を示す平面図である。
【００４６】
本変形例では、複数の接地用内部電極１３として、図３（ｂ）に示された接地用内部電極１３（図５（ａ）参照）だけでなく、主電極部１３ａが、第三及び第四側面Ｌｅ，Ｌｆの対向方向に延びる電極部分１３ａ１と、電極部分１３ａ１と引出電極部１３ｂ，１３ｃとを接続する電極部分１３ａ２と、を有している複数の接地用内部電極１３（図５（ｂ）〜（ｅ）参照）が備えられている。電極部分１３ａ２は、第一及び第二側面Ｌｃ，Ｌｄの対向方向に延びている。
【００４７】
各接地用内部電極１３における主電極部１３ａの電極部分１３ａ１は、第一及び第二主面Ｌａ，Ｌｂの対向方向から見て、互いに重ならないように位置している。各接地用内部電極１３における主電極部１３ａの電極部分１３ａ１は、電極部分１３ａ１と電極部分１３ａ２とを有さない接地用内部電極１３の主電極部１３ａとも、第一及び第二主面Ｌａ，Ｌｂの対向方向から見て、互いに重ならないように位置している。
【００４８】
主電極部１３ａの電極部分１３ａ１は、第一及び第二主面Ｌａ，Ｌｂの対向方向から見て、互いに重ならないように位置しているので、電極部分１３ａ１の厚みにより生じる段差が分散されて、素体Ｌの変形を抑制することができる。したがって、内部構造欠陥の発生を抑制することができる。電極部分１３ａ１は、電極部分１３ａ１と電極部分１３ａ２とを有さない接地用内部電極１３の主電極部１３ａとも、第一及び第二主面Ｌａ，Ｌｂの対向方向から見て、互いに重ならないように位置しているので、主電極部１３ａと電極部分１３ａ１の厚みにより生じる段差がより一層分散されて、素体Ｌの変形を更に抑制することができる。
【００４９】
次に、図６を参照して、接地用内部電極１３の変形例の構成を説明する。図６は、接地用内部電極の変形例を示す平面図である。
【００５０】
本変形例では、複数の接地用内部電極１３として、図３（ｂ）に示された接地用内部電極１３（図６（ａ）参照）だけでなく、主電極部１３ａが、同一面内において複数に分岐された複数の接地用内部電極１３（図６（ｂ）〜（ｄ）参照）が備えられている。主電極部１３ａが分岐された各接地用内部電極１３は、第三及び第四側面Ｌｅ，Ｌｆの対向方向に延びる複数の電極部分１３ａ１と、各電極部分１３ａ１と引出電極部１３ｂ，１３ｃとを接続する電極部分１３ａ２と、を有している。
【００５１】
各接地用内部電極１３における主電極部１３ａの電極部分１３ａ１は、第一及び第二主面Ｌａ，Ｌｂの対向方向から見て、互いに重ならないように位置している。各接地用内部電極１３における主電極部１３ａの電極部分１３ａ１は、電極部分１３ａ１と電極部分１３ａ２とを有さない接地用内部電極１３の主電極部１３ａとも、第一及び第二主面Ｌａ，Ｌｂの対向方向から見て、互いに重ならないように位置している。
【００５２】
主電極部１３ａが、同一面内において複数に分岐さされているので、各接地用内部電極１３において、いずれかの電極部分１３ａ１が断線したとしても、残りの電極部分１３ａ１にて導通状態を確保することができる。したがって、静電容量が所望の値からずれるのを防ぐことができる。
【００５３】
次に、図７及び図８を参照して、本実施形態の変形例に係る積層貫通コンデンサの構成を説明する。図７は、本実施形態の変形例に係る積層貫通コンデンサにおける、素体の構成を示す分解斜視図である。図８は、接地用内部電極及びダミー電極を示す平面図である。
【００５４】
本変形例に係る積層貫通コンデンサは、上述した実施形態の積層貫通コンデンサＣ１と同じく、素体Ｌと、素体Ｌの外表面に配置される第一及び第二信号用端子電極（図示省略）並びに第一及び第二接地用端子電極（図示省略）と、を備えている。
【００５５】
本変形例の積層貫通コンデンサは、図７に示されるように、複数のダミー電極１５，１６を備えている。ダミー電極１５，１６は、図８にも示されるように、各接地用内部電極１３と同一面に、接地用内部電極１３を第一及び第二側面Ｌｃ，Ｌｄの対向方向で挟み且つ接地用内部電極１３から離間するように配置されている。ダミー電極１５，１６は、信号用内部電極１１及び接地用内部電極１３と同じく、積層型の電気素子の内部電極として通常用いられる導電性材料（たとえば、Ｎｉ又はＣｕなど）からなる。ダミー電極１５，１６は、上記導電性材料を含む導電性ペーストの焼結体として構成される。
【００５６】
ダミー電極１５は、一端が第一側面Ｌｃに露出している。ダミー電極１５の他端は、接地用内部電極１３の主電極部１３ａから第一及び第二側面Ｌｃ，Ｌｄの対向方向で離間している。第一信号用端子電極１は、ダミー電極１５の第一側面Ｌｃに露出した部分もすべて覆うように形成されており、ダミー電極１５は、第一信号用端子電極１に接続されている。
【００５７】
ダミー電極１６は、一端が第二側面Ｌｄに露出している。ダミー電極１６の他端は、接地用内部電極１３の主電極部１３ａから第一及び第二側面Ｌｃ，Ｌｄの対向方向で離間している。第二信号用端子電極２は、ダミー電極１６の第二側面Ｌｄに露出した部分もすべて覆うように形成されており、ダミー電極１６は、第二信号用端子電極２に接続されている。
【００５８】
ダミー電極１５とダミー電極１６との、第一及び第二側面Ｌｃ，Ｌｄの対向方向での間隔Ｄ１、すなわちダミー電極１５の他端とダミー電極１６と他端との第一及び第二側面Ｌｃ，Ｌｄの対向方向での間隔は、第一及び第二接地用端子電極３，４の幅ｗ２よりも狭く設定されている。これにより、接地用内部電極１３の厚みによる段差の発生が抑制されて、素体Ｌの変形を抑制することができる。したがって、本変形例の積層貫通コンデンサでは、内部構造欠陥の発生を抑制することができる。
【００５９】
本変形例では、信号用内部電極１１だけでなく、ダミー電極１５も、第一信号用端子電極１に接続されている。したがって、素体Ｌと第一信号用端子電極１との密着性を高めることができる。信号用内部電極１１だけでなく、ダミー電極１６も、第二信号用端子電極２に接続されている。したがって、素体Ｌと第二信号用端子電極２との密着性を高めることができる。
【００６０】
次に、図９を参照して、接地用内部電極１３及びダミー電極１５，１６の変形例の構成を説明する。図９は、接地用内部電極及びダミー電極の変形例を示す平面図である。
【００６１】
接地用内部電極１３は、図４に示された変形例と同じく、主電極部１３ａの幅ｗ１ａが、引出電極部１３ｂ，１３ｃの幅ｗ１ｂよりも狭く設定されている。本変形例でも、幅ｗ１ａ，ｗ１ｂは、幅ｗ２の半分以下に設定されている。ダミー電極１５とダミー電極１６との間隔Ｄ１は、引出電極部１３ｂ，１３ｃの幅ｗ１ｂよりも狭く設定されている。
【００６２】
本変形例では、図４に示された変形例と同じく、接地用内部電極１３と第一及び第二接地用端子電極３，４との接続性が確保された上で、直流抵抗の低減がより一層図られることとなる。また、接地用内部電極１３（主電極部１３ａ）の厚みによる段差の発生がより一層抑制されて、素体Ｌの変形を更に抑制することができる。
【００６３】
次に、図１０及び図１１を参照して、本実施形態の変形例に係る積層貫通コンデンサＣ２の構成を説明する。図１０は、本実施形態の変形例に係る積層貫通コンデンサを示す斜視図である。図１１は、素体の構成を示す分解斜視図である。
【００６４】
本変形例に係る積層貫通コンデンサＣ２は、上述した積層貫通コンデンサＣ１と同様に、素体Ｌと、第一及び第二信号用端子電極１，２と、第一及び第二接地用端子電極３，４と、を備えている。素体Ｌにおいて、第一及び第二側面Ｌｃ，Ｌｄは、第一及び第二主面Ｌａ，Ｌｂ間を連結するように第一及び第二主面Ｌａ，Ｌｂの長辺方向に伸びている。第三及び第四側面Ｌｅ，Ｌｆは、第一及び第二主面Ｌａ，Ｌｂ間を連結するように第一及び第二主面Ｌａ，Ｌｂの短辺方向に伸びている。
【００６５】
図１２（ａ）にも示されるように、信号用内部電極１１は、主電極部１１ａと、一対の引出電極部１１ｂ，１１ｃと、を有している。主電極部１１ａは、第一及び第二側面Ｌｃ，Ｌｄの対向方向を短辺方向とし、第三及び第四側面Ｌｅ，Ｌｆの対向方向を長辺方向とする矩形形状を呈している。したがって、信号用内部電極１１は、第三及び第四側面Ｌｅ，Ｌｆの対向方向での幅が第一及び第二側面Ｌｃ，Ｌｄの対向方向での幅よりも広く設定されている。
【００６６】
図１２（ｂ）にも示されるように、接地用内部電極１３は、主電極部１３ａと、一対の引出電極部１３ｂ，１３ｃと、を有している。主電極部１３ａは、第三及び第四側面Ｌｅ，Ｌｆの対向方向を長辺方向とし、第一及び第二側面Ｌｃ，Ｌｄの対向方向を短辺方向とする矩形形状を呈している。
【００６７】
本変形例では、信号用内部電極１１一つあたり直流抵抗が低くなり、積層貫通コンデンサＣ２全体での直流抵抗をより一層低減することができる。
【００６８】
次に、図１３を参照して、接地用内部電極１３の変形例の構成を説明する。図１３は、接地用内部電極の変形例を示す平面図である。
【００６９】
本変形例における接地用内部電極１３では、図４に示された接地用内部電極１３と同じく、主電極部１３ａの幅ｗ１ａは、引出電極部１３ｂ，１３ｃの幅ｗ１ｂよりも狭く設定されている。主電極部１３ａの幅ｗ１ａ及び引出電極部１３ｂ，１３ｃの幅ｗ１ｂは、第一及び第二接地用端子電極３，４の幅ｗ２よりも狭く設定されている。
【００７０】
本変形例でも、図４に示された変形例と同様に、接地用内部電極１３と第一及び第二接地用端子電極３，４との接続性が確保された上で、直流抵抗の低減がより一層図られることとなる。
【００７１】
次に、図１４を参照して、接地用内部電極１３の変形例の構成を説明する。図１４は、接地用内部電極の変形例を示す平面図である。
【００７２】
本変形例では、図５に示された変形例と同様に、複数の接地用内部電極１３として、図１２（ｂ）に示された接地用内部電極１３（図１４（ａ）参照）だけでなく、主電極部１３ａが、電極部分１３ａ１と、電極部分１３ａ２と、を有している複数の接地用内部電極１３（図１４（ｂ）〜（ｅ）参照）が備えられている。各接地用内部電極１３における電極部分１３ａ１は、第一及び第二主面Ｌａ，Ｌｂの対向方向から見て、互いに重ならないように位置している。各接地用内部電極１３における電極部分１３ａ１は、電極部分１３ａ１と電極部分１３ａ２とを有さない接地用内部電極１３の主電極部１３ａとも、第一及び第二主面Ｌａ，Ｌｂの対向方向から見て、互いに重ならないように位置している。
【００７３】
本変形例でも、図５に示された変形例と同様に、電極部分１３ａ１の厚みにより生じる段差が分散されて、素体Ｌの変形を抑制することができ、内部構造欠陥の発生を抑制することができる。また、主電極部１３ａと電極部分１３ａ１の厚みにより生じる段差がより一層分散されて、素体Ｌの変形を更に抑制することができる。
【００７４】
次に、図１５を参照して、接地用内部電極１３の変形例の構成を説明する。図１５は、接地用内部電極の変形例を示す平面図である。
【００７５】
本変形例では、図５に示された変形例と同様に、複数の接地用内部電極１３として、図１２（ｂ）に示された接地用内部電極１３（図１５（ａ）参照）だけでなく、主電極部１３ａが、同一面内において複数に分岐された複数の接地用内部電極１３（図１５（ｂ）〜（ｄ）参照）が備えられている。
【００７６】
主電極部１３ａが分岐された各接地用内部電極１３は、複数の電極部分１３ａ１と、電極部分１３ａ２と、を有している。各接地用内部電極１３における電極部分１３ａ１は、第一及び第二主面Ｌａ，Ｌｂの対向方向から見て、互いに重ならないように位置している。各接地用内部電極１３における電極部分１３ａ１は、電極部分１３ａ１と電極部分１３ａ２とを有さない接地用内部電極１３の主電極部１３ａとも、第一及び第二主面Ｌａ，Ｌｂの対向方向から見て、互いに重ならないように位置している。
【００７７】
本変形例でも、図６に示された変形例と同様に、各接地用内部電極１３において、いずれかの電極部分１３ａ１が断線したとしても、残りの電極部分１３ａ１にて導通状態を確保することができる。したがって、静電容量が所望の値からずれるのを防ぐことができる。
【００７８】
次に、図１６及び図１７を参照して、本実施形態の変形例に係る積層貫通コンデンサの構成を説明する。図１６は、本実施形態の変形例に係る積層貫通コンデンサにおける、素体の構成を示す分解斜視図である。図１７は、接地用内部電極及びダミー電極を示す平面図である。
【００７９】
本変形例に係る積層貫通コンデンサは、上述した実施形態の積層貫通コンデンサＣ２と同じく、素体Ｌと、素体Ｌの外表面に配置される第一及び第二信号用端子電極（図示省略）並びに第一及び第二接地用端子電極（図示省略）と、を備えている。
【００８０】
本変形例の積層貫通コンデンサは、図１６に示されるように、複数のダミー電極１５，１６を備えている。ダミー電極１５，１６は、図１７にも示されるように、図８に示されたダミー電極１５，１６と同じく、各接地用内部電極１３と同一面に、接地用内部電極１３を第一及び第二側面Ｌｃ，Ｌｄの対向方向で挟み且つ接地用内部電極１３から離間するように配置されている。
【００８１】
本変形例でも、図７及び図８に示された変形例と同様に、ダミー電極１５とダミー電極１６との間隔Ｄ１は、第一及び第二接地用端子電極３，４の幅ｗ２よりも狭く設定されているので、接地用内部電極１３の厚みによる段差の発生が抑制されて、素体Ｌの変形を抑制することができる。したがって、本変形例の積層貫通コンデンサでは、内部構造欠陥の発生を抑制することができる。また、素体Ｌと第一信号用端子電極１との密着性を高めることができると共に、素体Ｌと第二信号用端子電極２との密着性を高めることができる。
【００８２】
次に、図１８を参照して、接地用内部電極１３及びダミー電極１５，１６の変形例の構成を説明する。図１８は、接地用内部電極及びダミー電極の変形例を示す平面図である。
【００８３】
ダミー電極１５とダミー電極１６との間隔Ｄ１は、図９に示された変形例と同様に、引出電極部１３ｂ，１３ｃの幅ｗ１ｂよりも狭く設定されている。したがって、接地用内部電極１３と第一及び第二接地用端子電極３，４との接続性が確保された上で、直流抵抗の低減がより一層図られることとなる。また、接地用内部電極１３（主電極部１３ａ）の厚みによる段差の発生がより一層抑制されて、素体Ｌの変形を更に抑制することができる。
【００８４】
次に、図１９及び図２０を参照して、本実施形態の変形例に係る積層貫通コンデンサアレイＣ３の構成を説明する。図１９は、本実施形態の変形例に係る積層貫通コンデンサアレイを示す斜視図である。図２０は、素体の構成を示す分解斜視図である。
【００８５】
本変形例に係る積層貫通コンデンサアレイＣ３は、素体Ｌと、それぞれ複数の第一及び第二信号用端子電極１，２と、第一及び第二接地用端子電極３，４と、を備えている。素体Ｌにおいて、第一及び第二側面Ｌｃ，Ｌｄは、第一及び第二主面Ｌａ，Ｌｂ間を連結するように第一及び第二主面Ｌａ，Ｌｂの長辺方向に伸びている。第三及び第四側面Ｌｅ，Ｌｆは、第一及び第二主面Ｌａ，Ｌｂ間を連結するように第一及び第二主面Ｌａ，Ｌｂの短辺方向に伸びている。本変形例では、積層貫通コンデンサアレイＣ３は、それぞれ二つの第一及び第二信号用端子電極１，２を備えている。
【００８６】
各第一信号用端子電極１は、素体Ｌの第一側面Ｌｃ側に配置されている。各第一信号用端子電極１は、第一側面Ｌｃの一部を第一及び第二主面Ｌａ，Ｌｂの対向方向に沿って覆うように、第一及び第二主面Ｌａ，Ｌｂにわたって形成されている。二つの第一信号用端子電極１は、第三及び第四側面Ｌｅ，Ｌｆの対向方向で互いに離間するように位置している。
【００８７】
各第二信号用端子電極２は、素体Ｌの第二側面Ｌｄ側に配置されている。各第二信号用端子電極２は、第二側面Ｌｄの一部を第一及び第二主面Ｌａ，Ｌｂの対向方向に沿って覆うように、第一及び第二主面Ｌａ，Ｌｂにわたって形成されている。二つの第二信号用端子電極２は、第三及び第四側面Ｌｅ，Ｌｆの対向方向で互いに離間するように位置している。
【００８８】
積層貫通コンデンサアレイＣ３は、図２１（ａ）にも示されるように、同一面内に、複数の信号用内部電極１１を備えている。本変形例では、積層貫通コンデンサアレイＣ３は、第一及び第二信号用端子電極１，２のそれぞれの数に対応して、同一面内に、二つの信号用内部電極１１を備えている。信号用内部電極１１は、主電極部１１ａと、一対の引出電極部１１ｂ，１１ｃと、を有している。主電極部１１ａは、第一及び第二側面Ｌｃ，Ｌｄの対向方向を長辺方向とし、第三及び第四側面Ｌｅ，Ｌｆの対向方向を短辺方向とする矩形形状を呈している。主電極部１１ａの第三及び第四側面Ｌｅ，Ｌｆの対向方向での幅は、引出電極部１１ｂ，１１ｃの第三及び第四側面Ｌｅ，Ｌｆの対向方向での幅よりも広く設定されている。
【００８９】
図２１（ｂ）にも示されるように、接地用内部電極１３は、複数の主電極部１３ａと、一対の引出電極部１３ｂ，１３ｃと、接続部１３ｄと、を有している。本変形例では、接地用内部電極１３は、同一面内に位置する信号用内部電極１１の数に対応して、二つの主電極部１３ａを有している。主電極部１３ａは、第三及び第四側面Ｌｅ，Ｌｆの対向方向を長辺方向とし、第一及び第二側面Ｌｃ，Ｌｄの対向方向を短辺方向とする矩形形状を呈している。接続部１３ｄは、第三及び第四側面Ｌｅ，Ｌｆの対向方向で隣り合う二つの主電極部１３ａにそれぞれ接続されている。
【００９０】
本変形例でも、上述した実施形態と同様に、積層貫通コンデンサアレイＣ３において、直流抵抗の低減が図られることとなる。
【００９１】
次に、図２２を参照して、接地用内部電極１３の変形例の構成を説明する。図２２は、接地用内部電極の変形例を示す平面図である。
【００９２】
図２２（ａ）に示された変形例では、図１３に示された接地用内部電極１３と同じく、主電極部１３ａの幅ｗ１ａは、引出電極部１３ｂ，１３ｃの幅ｗ１ｂよりも狭く設定されている。主電極部１３ａの幅ｗ１ａ及び引出電極部１３ｂ，１３ｃの幅ｗ１ｂは、第一及び第二接地用端子電極３，４の幅ｗ２よりも狭く設定されている。本変形例では、接続部１３ｄの第一及び第二側面Ｌｃ，Ｌｄの対向方向での幅と、引出電極部１３ｂ，１３ｃの一部の第一及び第二側面Ｌｃ，Ｌｄの対向方向での幅と、が幅ｗ１ａと同等に設定されている。
【００９３】
本変形例でも、図４及び図１３に示された変形例と同様に、接地用内部電極１３と第一及び第二接地用端子電極３，４との接続性が確保された上で、直流抵抗の低減がより一層図られることとなる。
【００９４】
図２２（ｂ）に示された変形例では、接続部１３ｄの第一及び第二側面Ｌｃ，Ｌｄの対向方向での幅が、幅ｗ１ｂと同等に設定されている。引出電極部１３ｂ，１３ｃは、全体にわたって、同じ幅ｗ１ｂに設定されている。
【００９５】
図２２（ｃ）に示された変形例では、接続部１３ｄの第一及び第二側面Ｌｃ，Ｌｄの対向方向での幅と、引出電極部１３ｂ，１３ｃの一部の第一及び第二側面Ｌｃ，Ｌｄの対向方向での幅と、が幅ｗ１ｂ以上に設定されている。本変形例では、接続部１３ｄの第一及び第二側面Ｌｃ，Ｌｄの対向方向での幅と、引出電極部１３ｂ，１３ｃの一部の第一及び第二側面Ｌｃ，Ｌｄの対向方向での幅と、は、主電極部１１ａの第一及び第二側面Ｌｃ，Ｌｄの対向方向での幅と略同等に設定されている。すなわち、接地用内部電極１３は、第一及び第二主面Ｌａ，Ｌｂの対向方向から見て、信号用内部電極１１と重ならない領域が残りの領域よりも第一及び第二側面Ｌｃ，Ｌｄの対向方向において幅広とされている。
【００９６】
本変形例によれば、信号用内部電極１１の厚みによる段差の発生が抑制されて、素体Ｌの変形を抑制することができる。したがって、内部構造欠陥の発生を抑制することができる。
【００９７】
以上、本発明の好適な実施形態について説明してきたが、本発明は必ずしも上述した実施形態に限定されるものではなく、その要旨を逸脱しない範囲で様々な変更が可能である。
【００９８】
信号用内部電極１１及び接地用内部電極１３の数、すなわち積層数は、上述した数に限られることなく、所望の静電容量に対応させて、適宜設定することができる。
【００９９】
積層貫通コンデンサアレイＣ３における第一及び第二信号用端子電極１，２それぞれの数は、上述した数に限られることなく、３つ以上であってもよい。同一面内に位置する信号用内部電極１１の数も、第一及び第二信号用端子電極１，２それぞれの数に対応させて、３つ以上であってもよい。
【０１００】
積層貫通コンデンサＣ１，Ｃ２及び積層貫通コンデンサアレイＣ３は、二つの接地用端子電極（第一接地用端子電極３及び第二接地用端子電極４）を備えているが、接地用端子電極の数はこれに限られない。たとえば、積層貫通コンデンサＣ１，Ｃ２及び積層貫通コンデンサアレイＣ３は、接地用端子電極として、第一接地用端子電極３及び第二接地用端子電極４のうちいずれか一方のみの接地用端子電極を備えていてもよい。
【符号の説明】
【０１０１】
１…第一信号用端子電極、２…第二信号用端子電極、３…第一接地用端子電極、４…第二接地用端子電極、１１…信号用内部電極、１１ａ…主電極部、１１ｂ，１１ｃ…引出電極部、１３…接地用内部電極、１３ａ…主電極部、１３ｂ，１３ｃ…引出電極部、１５，１６…ダミー電極、Ｃ１，Ｃ２…積層貫通コンデンサ、Ｃ３…積層貫通コンデンサアレイ、Ｄ１…複数のダミー電極の第一及び第二側面の対向方向での間隔、Ｌ…素体、Ｌａ…第一主面、Ｌｂ…第二主面、Ｌｃ…第一側面、Ｌｄ…第二側面、Ｌｅ…第三側面、Ｌｆ…第四側面、ｗ１…接地用内部電極の第一及び第二側面の対向方向での幅、ｗ１ａ…主電極部の第一及び第二側面の対向方向での幅、ｗ１ｂ…引出電極部の第一及び第二側面の対向方向での幅、ｗ２…第一及び第二接地用端子電極の第一及び第二側面の対向方向での幅。
【図１】
2014146754.tif 000003
【図２】
2014146754.tif 000004
【図３】
2014146754.tif 000005
【図４】
2014146754.tif 000006
【図５】
2014146754.tif 000007
【図６】
2014146754.tif 000008
【図７】
2014146754.tif 000009
【図８】
2014146754.tif 000010
【図９】
2014146754.tif 000011
【図１０】
2014146754.tif 000012
【図１１】
2014146754.tif 000013
【図１２】
2014146754.tif 000014
【図１３】
2014146754.tif 000015
【図１４】
2014146754.tif 000016
【図１５】
2014146754.tif 000017
【図１６】
2014146754.tif 000018
【図１７】
2014146754.tif 000019
【図１８】
2014146754.tif 000020
【図１９】
2014146754.tif 000021
【図２０】
2014146754.tif 000022
【図２１】
2014146754.tif 000023
【図２２】
2014146754.tif 000024